(57)【特許請求の範囲】
【請求項１】
帯状でエンドレスなフィルムに複数の図柄を表示してなる図柄表示テープと、
前記図柄表示テープを掛け渡して環状に周回させる複数のプーリと、
図柄表示テープの表面に接触するよう図柄表示テープの環の外側に配置した駆動ローラと、
該駆動ローラを回転させるモータと、
前記駆動ローラに図柄表示テープを押し付ける加圧ローラと、
揺動自在なアームの先端に回転自在に軸承され、スプリングなどの付勢手段の付勢で前記図柄表示テープに適宜な張力を付与するテンションローラと、
前記アームの揺動中心とテンションローラの外周までの最大距離を調整する調整手段とを有し、
前記駆動ローラは、プーリとテンションローラの間であって、前記調整手段によるテンションローラとアームの揺動中心との距離が最小である場合のそのテンションローラ外周と、前記プーリとを結ぶ直線より内側に周面の一部が張り出すように配置することにより図柄表示テープを環の内側に屈曲させるようになし、
一方、前記加圧ローラを図柄表示テープの環の内側に配置し、
もって駆動ローラと図柄表示テープとの間に生じる摩擦力で図柄表示テープにモータの回転力を伝達するようにした図柄変動表示装置を形成し、
該図柄変動表示装置を備えてなることを特徴とする遊技機。
【発明の詳細な説明】
【０００１】
【産業上の利用分野】
本発明は、複数の図柄を変動させ、停止した時点における図柄の当たり外れをゲーム要素に取り入れた遊技機に関する。
【０００２】
【従来の技術】
パチンコ機を代表とする遊技機には、複数の図柄を変動させ、停止した時点における図柄に応じて遊技客に所定の利益を与えるようにしたものがある。このタイプの遊技機は、複数の図柄を変動表示させる図柄変動表示装置が遊技機の見やすい位置に設置されているのが普通である。而して、従来の図柄変動表示装置として、例えば特開平５−５７０４９号がある。この図柄変動表示装置は、帯状でエンドレスなフィルムに複数の図柄を表示してなる図柄表示フィルムと、前記図柄表示フィルムを掛け渡す複数のプーリと、図柄表示フィルムを周回させる駆動プーリと、からなる。前記駆動プーリには、外周に送り爪が突設され、対する図柄表示フィルムの両側縁には等ピッチで係合穴が穿設されている。そして、係合穴に駆動プーリの送り爪を係合させてモータの回転力で図柄表示フィルムを周回させるようにしたものである。また、これ以外にも、図柄表示ベルトを、裏面に等ピッチで歯を突設した所謂歯付きベルトとなし、駆動プーリを所謂歯付きプーリにした噛み合わせ方式もある。
【０００３】
【発明が解決しようとする課題】
上記各図柄変動表示装置は、図柄表示テープと駆動プーリが一定の関係を保って係合し合う構造であるから、図柄表示テープの係合穴や歯のピッチの関係で、図柄表示テープのサイズ変更が難しく、図柄表示テープのコマ数が限定される問題点があった。
【０００４】
本発明は、上記に鑑みなされたもので、その目的は、図柄表示テープのサイズ変更が簡単に行える図柄変動表示装置を提供することにある。
【０００５】
【課題を解決するための手段】
上記の目的を達成するため本発明は、帯状でエンドレスなフィルムに複数の図柄を表示してなる図柄表示テープと、前記図柄表示テープを掛け渡して環状に周回させる複数のプーリと、図柄表示テープの表面に接触するよう図柄表示テープの環の外側に配置した駆動ローラと、該駆動ローラを回転させるモータと、前記駆動ローラに図柄表示テープを押し付ける加圧ローラと、揺動自在なアームの先端に回転自在に軸承され、スプリングなどの付勢手段の付勢で前記図柄表示テープに適宜な張力を付与するテンションローラと、前記アームの揺動中心とテンションローラの外周までの最大距離を調整する調整手段とを有し、前記駆動ローラは、プーリとテンションローラの間であって、前記調整手段によるテンションローラとアームの揺動中心との距離が最小である場合のそのテンションローラ外周と、前記プーリとを結ぶ直線より内側に周面の一部が張り出すように配置することにより図柄表示テープを環の内側に屈曲させるようになし、一方、前記加圧ローラを図柄表示テープの環の内側に配置し、もって駆動ローラと図柄表示テープとの間に生じる摩擦力で図柄表示テープにモータの回転力を伝達するようにした図柄変動表示装置を形成し、該図柄変動表示装置を備えてなる遊技機を提供する。
【０００６】
【作用】
駆動ローラが回転すると、駆動ローラと図柄表示テープの間に生じる摩擦力で図柄表示テープが送られ、該図柄表示テープがプーリ間を周回する。このように駆動ローラと図柄表示テープの間に生じる摩擦力でモータの回転力を図柄表示テープに伝達するようにすることで、図柄表示テープはもちろん全体の構成を極端に簡素化することができる。また、図柄表示テープと駆動ローラの間に一定の係合関係がないから、テンションローラを支持するアームの揺動中心とテンションローラの外周までの最大距離を変更することで図柄表示テープのサイズ変更が簡単に行える。
【０００７】
【実施例】
以下に本発明の実施例を遊技機たるパチンコ機を例示しつつ説明する。なお、図１は図柄変動表示装置の縦断面図、図２は一個の図柄変動ユニットを示す斜視図、図３は図１のＹ−Ｙ線拡大断面図、図４はパチンコ機の正面図である。
【０００８】
先ず、パチンコ機Ｐの概要について説明する。図４のように、遊技板１の遊技領域１ａには、中央に図柄変動表示装置２が設置され、さらにその周囲に始動入賞口３，３…や変動入賞装置４などが設置されている。前記中央の図柄変動表示装置２は、四角い表示窓５に三列×三行で合計九個の図柄６（数字）が一度に表示され、上・中・下の各行と対角線上に合計五本の当たりラインが設定されている。そして、パチンコ機Ｐは、始動入賞口３，３…への入賞を受けて図柄変動表示装置２の図柄６を列方向に変動させ、図柄の変動が停止した時点の当たりライン上の図柄６が例えば「７，７，７」などのように所定の組み合わせである場合に変動入賞装置４を所定の条件で作動させるのである。
【０００９】
次に、図柄変動表示装置２について説明する。図柄変動表示装置２は、遊技板１の表側に位置する取付基盤７と、一列分の図柄表示機能を持つ図柄変動ユニット８と、該図柄変動ユニット８を三個並べて収納設置する箱状の裏ケース９と、からなる。前記取付基盤７は遊技板１にビスなどで取着されるもので、透明カバー１０を嵌め込んだ四角形の表示窓５を有する。なお、透明カバー１０を凸レンズ状にして図柄６を拡大表示するようにしてもよい。
【００１０】
前記図柄変動ユニット８は、図１〜図３に示したように、長方形状のベース板１１と、帯状でエンドレスな図柄表示テープ１２と、該図柄表示テープ１２を掛け渡すプーリ１３ａ〜１３ｃ及びテンションローラ１３ｄと、図柄表示テープ１２の表面に接触する駆動ローラ１４と、該駆動ローラ１４を回転させるステッピングモータ１５と、前記駆動ローラ１４に図柄表示テープ１２を押し付ける加圧ローラ１６と、から概略構成される。
【００１１】
前記図柄表示テープ１２は、透光性がある帯状のフィルム１２ａをエンドレスに形成すると共に該フィルム１２ａの表面に複数の図柄６，６…を印刷してなる。該図柄表示テープ１２の一側縁には全周に亙って透明部１２ｂを形成し、該透明部１２ｂに前記ステッピングモータ１５を制御するためのタイミングポイント１２ｃが図柄６毎に等ピッチで印刷されている。なお、図柄表示テープ１２の図柄６は、前記表示窓５に三個が縦一列に並ぶ大きさである。
【００１２】
前記プーリ１３ａ〜１３ｃ及びテンションローラ１３ｄは、円柱形の胴部１７の両端部に図柄表示テープ１２を案内するフランジ１８を設けてなる形状であって、全体が硬質の合成樹脂で出来ており、さらに胴部１７外周に若干のクッション性と弱粘性を有する材質のカバー層１９を設けてなる。プーリ１３ａ〜１３ｃは、ベース板１１の各コーナー部分に配置されており、回転軸２０ａ〜２０ｃを中心に回転自在である。回転軸２０ａ〜２０ｃはベース板１１に固設されており、従って、回転軸２０ａ〜２０ｃに軸承されているプーリ１３ａ〜１３ｃは、ベース板１１上の定位置で回転する。
【００１３】
一方、テンションローラ１３ｄは、ベース板１１上に揺動自在に軸着してなるアーム２１先端に、回転軸２０ｄをもって回転自在に軸承されており、これによりテンションローラ１３ｄがアーム２１と一緒に揺動し得る。アーム２１には、三個の軸孔２１ａ〜２１ｃが設けられており、軸孔２１ａ〜２１ｃの何れかを選択することによりアーム長を変更することができ、従って、アーム２１の揺動中心とテンションローラ１３ｄの外周までの最大距離Ｌ（図３参照）を三段階に増減することができる。また、アーム２１のもう一方の端部には付勢手段であるスプリング２２が連結されており、該スプリング２２の弾性でテンションローラ１３ｄを図柄表示テープ１２側に付勢する。
【００１４】
なお、ベース板１１には、テンションローラ１３ｄの揺動範囲に対応するように四角い透孔２３が形成されている。そして、アーム２１のプーリ１３ｄ側をベース板１１の透孔２３内で揺動させるようにしてある。こうすることによりテンションローラ１３ｄを他のプーリ１３ａ〜１３ｃと同じレベルに設定することができる。もちろん、前記ベース板１１の透孔２３は必須のものではないが、仮に透孔２３を設けないようにするならば次のような問題点が生ずる。すなわち、透孔２３がなければアーム２１がベース板１１の上面に完全に突出するからテンションローラ１３ｄの取付位置が高くなる。そうなれば必然的に他のプーリ１３ａ〜１３ｃも高い位置に設定する必要があり、それだけ図柄変動ユニット８の嵩（表示窓５の横幅）が増加することになる。しかし、図柄変動表示装置２の大きさにはある程度の制約があるから、図柄表示テープ１２の幅を細くして図柄変動ユニット８の嵩を規定の範囲に収める必要があり、図柄６の大きさ、すなわち表示の見やすさが犠牲になるのである。
【００１５】
前記駆動ローラ１４は、ステッピングモータ１５の駆動軸１５ａに直結されており、硬質胴部１４ａの外周に前記プーリ１３ａ〜１３ｃなどと同じく若干のクッション性と弱粘性とを有する材質でカバー層１９が設けられている。駆動ローラ１４は、前記プーリ１３ｃとテンションローラ１３ｄを結ぶ直線より内側に周面の一部が張り出すよう配置されており、駆動ローラ１４が図柄表示テープ１２の表面に接触して該図柄表示テープ１２を僅かに屈曲させ、以て図柄表示テープ１２と駆動ローラ１４との接触面積が大きくなるように設定してある。
【００１６】
加圧ローラ１６は、図柄表示テープ１２の内側に配設されており、前記駆動ローラ１４に図柄表示テープ１２を介して対向している。加圧ローラ１６は、ベース板１１上に揺動自在に軸着されているローラアーム２４の先端に回転自在な状態で軸承されている。ローラアーム２４は、もう一方の端部がスプリング２５で牽引されていて加圧ローラ１６を前記駆動ローラ１４側に付勢する。前記のように加圧ローラ１６と駆動ローラ１４の間には図柄表示テープ１２が介在しているから、図柄表示テープ１２が駆動ローラ１４の周面に加圧ローラ１６で押し付けられる。
【００１７】
その他、ベース板１１には図柄表示テープ１２を挟んで発光素子２６と受光素子２７が対向設置されている。そして、この発光素子２６と受光素子２７で前記図柄表示テープ１２のタイミングポイント１２ｃを読み取り、その信号を使ってステッピングモータ１５を制御する。なお、この光学式に代え、磁気を利用するなどの他の位置検出手段によって図柄表示テープ１２の位置検出をしてステッピングモータ１５の制御信号を得る方法を採用してもよい。また、図柄表示テープ１２で囲われた領域内には、図示しないが、表示窓５に向かって光を放射するようにランプが組み込まれていて、該ランプの照明で図柄表示テープ１２の図柄６を明るく浮き上がらせることができる。
【００１８】
以上説明した図柄変動ユニット８は、一列分の図柄６に対応するものであり、それを三個並設することによって表示窓５に三列の図柄６を表示することができる。なお、本実施例は、前記加圧ローラ１６と駆動ローラ１４及びステッピングモータ１５など、全ての部品をプーリ１３ａ〜１３ｃ及びテンションローラ１３ｄの高さの範囲内に収めるように設定したものである。こうすることにより、図柄変動ユニット８を上記のように三個並設する場合でも、隣り合う図柄６同士の間隔を最小限にすることができるため、図柄６と図柄６の横方向の間隔が不必要に広がらず、表示バランスが非常に良くなる効果がある。
【００１９】
次に、本発明の図柄変動表示装置２の作動について説明する。先ず、図４において始動入賞口３，３…にパチンコ球が入賞すると、三個の図柄変動ユニット８の各ステッピングモータ１５が始動して駆動ローラ１４が回転する。駆動ローラ１４は、前記のように弱粘性があるカバー層１９で表面が覆われているから摩擦係数が高く、しかも、加圧ローラ１６によって図柄表示テープ１２が加圧状態で駆動ローラ１４に接しているため、駆動ローラ１４と図柄表示テープ１２の間に生ずる摩擦力によって図柄表示テープ１２が周回する。そして、各ステッピングモータ１５を所定の順番か、又は、一斉に停止させ、その時の当たりライン上の図柄６の組み合わせを判定する。その判定の結果、図柄６が所定の組み合わせである場合には、パチンコ機Ｐが大当たり状態となって変動入賞装置４を所定の態様で作動させ、遊技客に所定の利益を与える。
【００２０】
なお、実施例の図柄変動表示装置２は、加圧ローラ１６を図柄表示テープ１２の裏側に配置したため、加圧ローラ１６と擦れて図柄表示テープ１２に傷が付いたとしても表面の図柄６に影響を及ぼすおそれがなく、従って、作動上全く支障がない。また、図柄表示テープ１２の長さが温度や長期間の使用で多少変化しても、スプリング２２の付勢でテンションローラ１３ｄが図柄表示テープ１２に押し付けられるため、図柄表示テープ１２には常時適度な張力が付与されている。従って、図柄表示テープ１２が弛まず、外れない。
【００２１】
而して、図柄表示テープ１２を図柄６のコマ数が多い大きいサイズのものに変更する場合は、テンションローラ１３ｄの軸孔２１ａを軸孔２１ｂ又は軸孔２１ｃの何れかに変更すればよい。そうすると、図１二点鎖線のようにアーム長が大きくなってテンションローラ１３ｄが図柄表示テープ１２の外側に張り出すから、大きいサイズの図柄表示テープ１２も緩み無く掛け渡すことができる。なお、このような融通性をさらに高めるためにテンションローラ１３ｄを複数個設ければより効果的である。
【００２２】
以上本発明を実施例について説明したが、もちろん本発明は上記実施例に限定されるものではない。例えば、上記実施例ではアーム２１の揺動中心とテンションローラ１３ｄの外周までの最大距離Ｌを軸孔２１ａ〜２１ｃを変更することにより増減させるようにしたが、例えばアーム２１を伸縮式にして前記距離Ｌを増減させるようにしてもよい。また、アーム長の異なるアーム２１を複数種類用意して図柄表示テープ１２のサイズに合わせてそれを選択したり、或いは、径の異なるテンションローラ１３ｄを複数種類用意して図柄表示テープ１２のサイズに合わせてそれを選択するようにしてもよい。
【００２３】
また、上記実施例は図柄変動ユニット８を三個並設したが、その個数は任意である。少なくとも一個あれば図柄変動のゲームは可能である。また、プーリの個数も四個より多くても少なくてもよい。また、駆動ローラ１４を回転させるモータ１５は、電気的に回転制御できるものであればどのようなものであってもよい。さらにまた、遊技機としてパチンコ機を例示したが、広く遊技機全般に適用できる。
【００２４】
【発明の効果】
本発明の図柄変動表示装置は、駆動ローラと図柄表示テープの間に生ずる摩擦力で図柄表示テープを周回させ、且つ、アームの揺動中心とテンションローラの外周までの最大距離を、アーム長を変更するなどの調整手段により増減し得るようにしたため、コストを殆ど掛けずに複数サイズの図柄表示テープに対応することができる。しかも、図柄表示テープに孔や凹凸など特別な加工を施す必要がないから従来に比べて大幅なコストダウンが可能であり、また、図柄表示テープに切り込みなどがないため、長期間の作動にも耐久性が高く、そのうえ、図柄表示テープが単純なシート状であるため図柄の印刷も容易である。さらにまた、駆動ローラと図柄表示テープの間に機械的な係合関係がないため、図柄表示テープを高速で周回させることも技術的に容易である、など極めて多くの優れた効果がある。
【図面の簡単な説明】
【図１】  図柄変動表示装置の縦断面図である。
【図２】  一個の図柄変動ユニットを示す斜視図である。
【図３】  図１のＹ−Ｙ線拡大断面図である。
【図４】  パチンコ機の正面図である。
【符号の説明】
６    …図柄
１２  …図柄表示テープ
１２ａ…フィルム
１３ａ〜１３ｃ…プーリ
１３ｄ…テンションローラ
１４  …駆動ローラ
１６  …加圧ローラ
２１  …アーム
２２  …付勢手段（スプリング）
Ｌ    …最大距離
Ｐ    …遊技機（パチンコ機）
【図１】
0003937461.tif 000002
【図２】
0003937461.tif 000003
【図３】
0003937461.tif 000004
【図４】
0003937461.tif 000005